(57)【特許請求の範囲】
【請求項１】
長襦袢と着物とを着用者が順に着用した後、袋帯を着用者の胴に太鼓結びする着物の着付け方法において、
前記袋帯を太鼓結びする際には、
表を上にして広げた該袋帯を一直線上に延ばし、
次に、太鼓の長さと該太鼓の下から露出するたれの長さとを決定する寸法決定線が一端部に引かれた矩形状の太鼓定規を使用し、
前記袋帯のたれ側の端部の表のうち、該袋帯のたれ先から該袋帯の長さ方向へ前記太鼓定規の長さ分だけ離れた部分に、帯揚げに包まれた帯枕を、前記袋帯の幅方向の両端から前記帯揚げの両端部を突出させた状態で載せ、
その後、該帯枕を中心にして、該帯枕より手先側の前記袋帯の部分を、該袋帯のたれ側の端部の上に表と表とが重なるように折り返し、
次に、該袋帯のたれ先より先方向にたれ余り部を残して、前記袋帯の折り返した部分を該袋帯の折り返したたれ先とは反対方向へ折り戻し、
ばねを介して対向状態で連結された一対の挟持体のうち、一方の挟持体の先部が他方の挟持体の先部より長くて帯押し込み部となった第１クリップを使用し、該袋帯の折り戻した部分の一部を、前記帯枕を挟み込むように前記帯押し込み部によって前記袋帯のたれ側の端部の下へ押し込み、この押し込んだ部分を、前記帯枕および前記袋帯の折り戻した部分のうちで前記帯枕を覆う部分とともに第１クリップにより挟持し、
その後、前記袋帯のたれ余り部を、前記寸法決定線により規定された前記太鼓定規のたれの長さ分だけ前記袋帯のたれ側の端部が露出するように、前記第１クリップにより挟持された前記袋帯の部分の内側に折り込み、
折り込まれた前記袋帯のたれ余り部を含めて、前記第１クリップにより挟持された前記袋帯の部分の幅方向の両端部を、一対の第２クリップにより挟持することで前記袋帯の一部に前記太鼓を形成し、
次に、該太鼓から前記第１クリップを取り外した後、前記太鼓を背中心にあてがい、前記袋帯を着用者の胴に巻き付け、その後、前記太鼓から前記一対の第２クリップを外すとともに前記帯揚げを着用者の胴に結んで前記太鼓を位置決めし、さらに帯締めにより前記袋帯を締める着物の着付け方法。
【請求項２】
長襦袢と着物とを着用者が順に着用した後、半幅に折った胴廻り部と全幅のたれ部とが、二等辺三角形状の折り畳み部を介して直角に折り重ねられた名古屋帯を着用者の胴に太鼓結びする着物の着付け方法において、
前記名古屋帯を太鼓結びする際には、
前記折り畳み部の折り畳みを開き、表を上にして前記たれ部と前記胴廻り部とを一直線上に延ばし、
次に、前記たれ部の元部の下に、帯揚げに包まれた帯枕を、前記たれ部の幅方向の両端から前記帯揚げの両端部を突出させた状態で配置し、
次いで、ばねを介して対向状態で連結された一対の挟持体のうち、一方の挟持体の先部が他方の挟持体の先部より長くて帯押し込み部となった第１クリップを使用し、前記帯枕を挟み込むように前記折り畳み部を前記帯押し込み部によって前記たれ部の下へ押し込み、この押し込んだ部分を、前記たれ部の元部および前記帯枕とともに第１クリップにより挟持し、
その後、前記たれ部を、表と表とが重なるように前記胴廻り部の上に折り返し、
次に、前記たれ部の折り返した部分を、該たれ部の折り返したたれ先とは反対方向へ折り戻し、その際、太鼓の長さと該太鼓の下から露出するたれの長さとを決定する寸法決定線が一端部に引かれた矩形状の太鼓定規を使用し、前記たれ部の元側の端を基準として、前記折り返したたれ先とは反対方向へ前記太鼓定規の長さ分だけ離れた位置に、前記たれ部のたれ先を配置し、
次にまた、該たれ部の折り戻した部分を、その折り戻し側の端から、前記寸法決定線により規定された前記太鼓定規のたれの長さ分だけ前記たれ部のたれ側の端部が露出するように、表と表とを重ね合わせて折り返すことで前記太鼓を形成し、
その後、前記第１クリップにより挟持された前記名古屋帯の部分の幅方向の両端部を一対の第２クリップにより挟持し、
次に、前記太鼓から前記第１クリップを取り外した後、前記太鼓を背中心にあてがい、前記胴廻り部を着用者の胴に巻き付け、その後、前記太鼓から前記一対の第２クリップを外すとともに前記帯揚げを着用者の胴に結んで前記太鼓を位置決めし、さらに帯締めにより前記名古屋帯を締める着物の着付け方法。
【発明の詳細な説明】
【技術分野】
【０００１】
この発明は、着物の着付け方法、詳しくは着用者が一人で簡単に着物を着付け可能な着物の着付け方法に関する。
【背景技術】
【０００２】
女性が和服を着る際には、まず長襦袢を羽織って胸ひもと伊達締めを順次締める。その後、着物を羽織り、おはしょりを整えて伊達締めを締め、伊達締めを隠すように袋帯または名古屋帯を太鼓結びする。
このうち、従前の太鼓を形成する帯結び方法では、身体の胴に巻き付けた帯が解けないように手側とたれ側とを背中で結ぶまたは捻じった後、帯の露出させたい所望絵柄部分の上端が太鼓の山となるようにたれ側の帯の表側に帯枕をあてがい、帯枕を胴に巻き付けた帯の上に載せるように装着し、その後、太鼓の下端を決めて内側に折り上げ、最後に帯締めにより太鼓を固定していた。
【０００３】
しかしながら、従前の帯の太鼓結び方法では、身体の背中で帯を太鼓結びしていた。そのため、着物を着る機会が少ない現代の女性は、初心者を含めて、帯を背中で太鼓に結ぶことが困難な人が多くなっている。そこで、これを解消するため、例えば、特許文献１のように前帯の位置で太鼓を結ぶ方法が多数知られている。
特許文献１は、背で帯の手先を上にとって、胴に帯を二度巻きつけ、その後、手先を下に降ろし、その折り曲げ部分で、上端部が帯枕の受け台となる留め具により、手先の根元と胴に巻きつけた帯を一体に固定し、帯の太鼓の部分を前に持って行き、太鼓の山の部分に２本のクリップを固定し、垂れの折り上げ部分にも２本のクリップを固定することで所望の太鼓形状に形成し、帯枕に帯あげを掛けたものを太鼓の山に当て、その後、２本のクリップにより固定された太鼓を背にまわし、帯枕の紐を前で結び、太鼓の中、垂れのクリップの上に手先を返して通し、帯揚げ、帯締めを締めて、クリップを外すものである。
【先行技術文献】
【特許文献】
【０００４】
【特許文献１】特開平８−１８８９１２号公報
【発明の概要】
【発明が解決しようとする課題】
【０００５】
しかしながら、前帯で太鼓を結ぶ特許文献１の方法による場合であっても、帯を着用者の胴に巻き付けた状態での複雑な手作業を伴うため、帯が緩んで型崩れしたり、一般的に美しいとされる太鼓が得られる太鼓の縦の長さ２４〜２６ｃｍ、太鼓の下から突出するたれの長さ７〜９ｃｍから外れ易かった。そのため、背中で太鼓を結ぶ場合ほどではないにしても、補助をしてくれる者がいなければ帯締めが難しかった。
【０００６】
この発明は、和服の着用者が一人で簡単に、袋帯または名古屋帯を使用して適正サイズの太鼓およびたれを有した太鼓結びを伴う着付けを行うことができる着付け方法を提供することを目的としている。
【課題を解決するための手段】
【０００７】
請求項１に記載の発明は、長襦袢と着物とを着用者が順に着用した後、袋帯を着用者の胴に太鼓結びする着物の着付け方法において、前記袋帯を太鼓結びする際には、表を上にして広げた該袋帯を一直線上に延ばし、次に、太鼓の長さと該太鼓の下から露出するたれの長さとを決定する寸法決定線が一端部に引かれた矩形状の太鼓定規を使用し、前記袋帯のたれ側の端部の表のうち、該袋帯のたれ先から該袋帯の長さ方向へ前記太鼓定規の長さ分だけ離れた部分に、帯揚げに包まれた帯枕を、前記袋帯の幅方向の両端から前記帯揚げの両端部を突出させた状態で載せ、その後、該帯枕を中心にして、該帯枕より手先側の前記袋帯の部分を、該袋帯のたれ側の端部の上に表と表とが重なるように折り返し、次に、該袋帯のたれ先より先方向にたれ余り部を残して、前記袋帯の折り返した部分を該袋帯の折り返したたれ先とは反対方向へ折り戻し、ばねを介して対向状態で連結された一対の挟持体のうち、一方の挟持体の先部が他方の挟持体の先部より長くて帯押し込み部となった第１クリップを使用し、該袋帯の折り戻した部分の一部を、前記帯枕を挟み込むように前記帯押し込み部によって前記袋帯のたれ側の端部の下へ押し込み、この押し込んだ部分を、前記帯枕および前記袋帯の折り戻した部分のうちで前記帯枕を覆う部分とともに第１クリップにより挟持し、その後、前記袋帯のたれ余り部を、前記寸法決定線により規定された前記太鼓定規のたれの長さ分だけ前記袋帯のたれ側の端部が露出するように、前記第１クリップにより挟持された前記袋帯の部分の内側に折り込み、折り込まれた前記袋帯のたれ余り部を含めて、前記第１クリップにより挟持された前記袋帯の部分の幅方向の両端部を、一対の第２クリップにより挟持することで前記袋帯の一部に前記太鼓を形成し、次に、該太鼓から前記第１クリップを取り外した後、前記太鼓を背中心にあてがい、前記袋帯を着用者の胴に巻き付け、その後、前記太鼓から前記一対の第２クリップを外すとともに前記帯揚げを着用者の胴に結んで前記太鼓を位置決めし、さらに帯締めにより前記袋帯を締める着物の着付け方法である。
【０００８】
また、請求項２に記載の発明は、長襦袢と着物とを着用者が順に着用した後、半幅に折った胴廻り部と全幅のたれ部とが、二等辺三角形状の折り畳み部を介して直角に折り重ねられた名古屋帯を着用者の胴に太鼓結びする着物の着付け方法において、前記名古屋帯を太鼓結びする際には、前記折り畳み部の折り畳みを開き、表を上にして前記たれ部と前記胴廻り部とを一直線上に延ばし、次に、前記たれ部の元部の下に、帯揚げに包まれた帯枕を、前記たれ部の幅方向の両端から前記帯揚げの両端部を突出させた状態で配置し、次いで、ばねを介して対向状態で連結された一対の挟持体のうち、一方の挟持体の先部が他方の挟持体の先部より長くて帯押し込み部となった第１クリップを使用し、前記帯枕を挟み込むように前記折り畳み部を前記帯押し込み部によって前記たれ部の下へ押し込み、この押し込んだ部分を、前記たれ部の元部および前記帯枕とともに第１クリップにより挟持し、その後、前記たれ部を、表と表とが重なるように前記胴廻り部の上に折り返し、次に、前記たれ部の折り返した部分を、該たれ部の折り返したたれ先とは反対方向へ折り戻し、その際、太鼓の長さと該太鼓の下から露出するたれの長さとを決定する寸法決定線が一端部に引かれた矩形状の太鼓定規を使用し、前記たれ部の元側の端を基準として、前記折り返したたれ先とは反対方向へ前記太鼓定規の長さ分だけ離れた位置に、前記たれ部のたれ先を配置し、次にまた、該たれ部の折り戻した部分を、その折り戻し側の端から、前記寸法決定線により規定された前記太鼓定規のたれの長さ分だけ前記たれ部のたれ側の端部が露出するように、表と表とを重ね合わせて折り返すことで前記太鼓を形成し、その後、前記第１クリップにより挟持された前記名古屋帯の部分の幅方向の両端部を一対の第２クリップにより挟持し、次に、前記太鼓から前記第１クリップを取り外した後、前記太鼓を背中心にあてがい、前記胴廻り部を着用者の胴に巻き付け、その後、前記太鼓から前記一対の第２クリップを外すとともに前記帯揚げを着用者の胴に結んで前記太鼓を位置決めし、さらに帯締めにより前記名古屋帯を締める着物の着付け方法である。
【発明の効果】
【０００９】
請求項１および請求項２に記載の発明によれば、袋帯または名古屋帯を太鼓結びする際に、太鼓の長さとたれの長さとを決定する寸法決定線が一端部に引かれた太鼓定規と、第１クリップと、一対の一対の第２クリップとを使用し、例えば畳の上で袋帯または名古屋帯の一部に太鼓をつくり、その後、太鼓を背中心にあてがい、帯を着用者の胴に巻き付けるように構成した。
すなわち、例えば畳の上での太鼓結びの途中で、太鼓定規を用いて太鼓の長さとたれの長さとを着用者の身長に合わせたサイズに決定するとともに、第１クリップおよび第２クリップを使用して帯の所定部分を適時挟持および挟持解除しながら、袋帯または名古屋帯の一部に太鼓を形成する。これにより、和服の着用者が一人でも簡単に、袋帯または名古屋帯を使用して適正サイズの太鼓およびたれを有した太鼓結びを伴う着付けを行うことができる。
また、第１クリップは、袋帯または名古屋帯の太鼓の帯山を形成する際、他方の挟持体より長尺な一方の挟持体の帯押し込み部を利用し、袋帯の場合には袋帯の折り戻した部分の一部を、帯枕を挟み込むように袋帯のたれ側の端部の下へ押し込んだり（袋帯の場合）、帯枕を挟み込むように折り畳み部をたれ部の下へ押し込むことで（名古屋帯の場合）、太鼓の帯山を形成し、かつその直後、帯山を一対の挟持体により挟持することができる。そのため、この帯の一部の押し込みを手作業で行うときの煩わしさ（片手での前記帯の一部の押し込み、この状態を保持して残った手でのクリップによる帯山の挟持）が解消される。しかも、着用者の勘に頼る帯の一部の押し込みではなく、帯押し込み部の長さ分の所定の押し込み位置への正確な押し込みを行うことができる。
【図面の簡単な説明】
【００１０】
【図１】この発明の実施例１に係る着物の着付け方法で使用される太鼓定規と第１クリップとを示す斜視図である。
【図２】この発明の実施例１に係る着物の着付け方法において、袋帯のたれ側の上に太鼓定規と帯枕とを載せた状態を示す平面図である。
【図３】この発明の実施例１に係る着物の着付け方法において、帯枕の主な部分を中心にして袋帯を折り返した状態を示す平面図である。
【図４】この発明の実施例１に係る着物の着付け方法において、袋帯の折り返した部分を折り戻した状態を示す平面図である。
【図５】この発明の実施例１に係る着物の着付け方法において、第１クリップにより太鼓の帯山を形成した状態を示す斜視図である。
【図６】この発明の実施例１に係る着物の着付け方法において、第１クリップにより太鼓の帯山を形成した状態を示す要部拡大断面図である。
【図７】この発明の実施例１に係る着物の着付け方法において、袋帯の一部に太鼓を形成した状態を示す平面図である。
【図８】この発明の実施例１に係る着物の着付け方法において、太鼓定規および第１クリップを太鼓から外した状態を示す平面図である。
【図９】この発明の実施例１に係る着物の着付け方法において、太鼓が形成された袋帯を着用者の背中に仮止めした状態を示す斜視図である。
【図１０】この発明の実施例２に係る着物の着付け方法において、名古屋帯のたれ部の元部の下に帯揚げにより包まれた帯枕を配置した状態を示す平面図である。
【図１１】この発明の実施例２に係る着物の着付け方法において、第１クリップにより太鼓の帯山を形成した状態を示す平面図である。
【図１２】この発明の実施例２に係る着物の着付け方法において、第１クリップにより太鼓の帯山を形成した状態を示す要部拡大断面図である。
【図１３】この発明の実施例２に係る着物の着付け方法において、たれ部を胴廻り部の上に折り返した状態を示す平面図である。
【図１４】この発明の実施例２に係る着物の着付け方法において、たれ部の折り返し部分を折り戻してその先端を太鼓定規の一端に位置合わせした状態を示す平面図である。
【図１５】この発明の実施例２に係る着物の着付け方法において、名古屋帯の一部に太鼓を形成した状態を示す平面図である。
【図１６】この発明の実施例２に係る着物の着付け方法において、名古屋帯の一部に太鼓を形成した状態を示す要部拡大断面図である。
【図１７】この発明の実施例２に係る着物の着付け方法において、第１クリップを太鼓から外すとともに仮ひもを太鼓に通した状態を示す平面図である。
【図１８】この発明の実施例１に係る着物の着付け方法での着物のたたみ方において、着物を畳の上に広げて置いた状態を示す斜視図である。
【図１９】この発明の実施例１に係る着物の着付け方法での着物のたたみ方において、一方の手で共衿の両衿先を掴み上げ、他方の手で両方の褄先を掴み上げた状態を示す斜視図である。
【図２０】この発明の実施例１に係る着物の着付け方法での着物のたたみ方において、両衿先の先端が下側の前身頃側の端に一致するように着物を折った状態を示す斜視図である。
【図２１】この発明の実施例１に係る着物の着付け方法での着物のたたみ方において、着物を手前の脇線が奥前の脇線に重なるように二つ折りした状態を示す斜視図である。
【発明を実施するための形態】
【００１１】
以下、この発明の実施例を具体的に説明する。
【実施例】
【００１２】
まず、図１〜図９を参照して、この発明の実施例１に係る袋帯での太鼓（二重太鼓）結びを伴う着物の着付け方法を説明する。
着用者が和服を着る際には、まず長襦袢を羽織り、伊達締めを順次締めて長襦袢を着る。次に、長襦袢の上から着物を羽織り、おはしょりを整えた上に伊達締めを締める。その後、伊達締めを隠すように袋帯を太鼓結びする。以下、袋帯の太鼓結び方法を詳細に説明する。
【００１３】
図１および図７に示すように、袋帯Ａにより結ばれた太鼓ａの長さと、太鼓ａの下から露出するたれｂの長さとを決定する寸法決定線１０ａが一端部に引かれた矩形状の太鼓定規１０と、一方の挟持体１２の先部が他方の挟持体１３の先部より長い帯押し込み部１２ａとなった一対の挟持体１２，１３を、Ｃ字ばね１４により対向状態で連結した特殊な形状の第１クリップ１５と、第１のクリップ１５より小型で市販品の一対の第２クリップ１１とを準備する。帯押し込み部１２ａの長さ（一方の挟持体１２の先部の全長）は、１０〜２０ｃｍである。
【００１４】
太鼓定規１０は、紙、プラスチック、木、金属などを素材とした板材で、太鼓定規１０の長さは、身長１５０ｃｍの着用者用のものが約２４ｃｍ、身長１６０ｃｍの着用者用のものが約２５ｃｍ、身長１７０ｃｍのものが約２６ｃｍである。太鼓定規１０の幅は、着用者の身長に拘わらず１０ｃｍ程度である。ただし、この幅は任意である。
寸法決定線１０ａは、太鼓定規１０の一端部に、この一端部と平行に１本引かれている。太鼓定規１０の一端部における寸法決定線１０ａの形成位置は、身長１５０ｃｍの着用者用の太鼓定規１０の場合で太鼓定規１０の一端から７〜８ｃｍの位置、身長１６０ｃｍの着用者用の太鼓定規１０の場合で太鼓定規１０の一端から８〜９ｃｍの位置、身長１７０ｃｍの着用者用の太鼓定規１０の場合で太鼓定規１０の一端から９〜１０ｃｍの位置である。これにより、太鼓ａの大きさは、成人女性が太鼓ａを結んだ際に美しいとされるものとなる。また、太鼓ａの下から露出するたれｂの長さ（太鼓定規１０の一端（先端）から寸法決定線１０ａまでの長さ）は、太鼓定規１０の長さから太鼓ａの長さを引いた残りの長さとなる。太鼓定規１０は、着用者の身長（１５０〜１７０ｃｍ）に応じてサイズが異なる太鼓ａを結べるように、あらかじめ上述した３種類の長さのもの用意し、その中から選ぶようにしてもよい。
【００１５】
第１クリップ１５の一部を構成する一方の挟持体１２は、プラスチック、木、金属などを素材とした１枚の細長い板である。その長さ方向の中間部より元側部分には、２本の平行に離間したＣ字ばね１４を介して、プラスチック、木、金属製の他方の挟持体１３が取り付けられている。他方の挟持体１３は、元部が略円板状の指押し部１３ａでかつ先部が側面肢して円弧形状に内側（一方の挟持体側）へ湾曲した挟持部１３ｂとなった部材である。他方の挟持体１３は、その長さ方向の略中間部に設けられた左右一対の軸支部１３ｃを介して、一方の挟持体１２に軸支されている。
【００１６】
図２に示すように、袋帯Ａの太鼓結び時には、まず、表を上にして広げた袋帯Ａを畳の上に真っ直ぐに延ばし、次に、太鼓定規１０の一端（たれ長さ測定側の端）を袋帯Ａのたれ先に揃えて、太鼓定規１０を袋帯Ａのたれ側の表の幅方向の中間部に載せる。その後、太鼓定規１０の他端部（太鼓長さ測定側の端部）に、あらかじめ帯揚げ１７の長さ方向の中間部分に包まれた帯枕１６を載せる。このとき、太鼓定規１０の長さ方向は袋帯Ａの長さ方向に揃え、帯枕１６の両端部に連結されたひも１６ａおよび帯揚げ１７の両端部を、袋帯Ａの幅方向の両端（両辺）から外方へ延ばしておく。
次に、帯枕１６を中心にして袋帯Ａの主な部分（袋帯Ａのたれ側の端部を除いた残りの部分）を、太鼓定規１０および帯枕１６が載せられた袋帯Ａのたれ側の端部の上に、表と表とが重なるように折り返し、袋帯Ａのたれ側の端部とこの折り返した部分Ａ１とにより帯枕１６を包み込む（図３）。
【００１７】
次にまた、太鼓定規１０の一端より先方向にたれ余り部ｂ１を残し、かつ太鼓定規１０の上方に太鼓ａの所望絵柄部分が上向きで配置されるように、袋帯Ａの折り返した部分Ａ１を袋帯Ａの折り返したたれ先とは反対方向へ折り戻す（図４）。
次に、この袋帯Ａの折り戻した部分Ａ２の一部、具体的には太鼓ａの所望絵柄部分より手先側の折り戻した部分Ａ２を、第１クリップ１５の帯押し込み部１２ａによって、袋帯Ａのたれ側の端部の下へ帯枕１６を挟み込むように押し込む。
その後、この押し込んだ部分を、帯枕１６および袋帯Ａの折り戻し部分Ａ２のうちで帯枕１６を覆う部分とともに第１クリップ１５により挟持し、太鼓ａの帯山ａ１を形成する（図５）。したがって、第１クリップ１５により挟持されているものは、袋帯Ａのうちの６層に折り畳まれた部分と、帯枕１６とである（図６）。この６層に折り畳まれた部分とは、二重折りされたたれ余り部ｂ１（４層）と、袋帯Ａのたれ側の端部（１層）と、袋帯Ａの折り戻した部分Ａ２（１層）とである。
【００１８】
その後、袋帯Ａのたれ余り部ｂ１を、寸法決定線１０ａが露出する位置まで、第１クリップ１５により挟持された袋帯Ａの部分の内側に折り込むとともに、折り込まれた袋帯Ａのたれ余り部ｂ１を含めて、第１クリップ１５により挟持された袋帯Ａの部分（６層の部分）を、一対の第２クリップ１１により挟持する（図６）。これにより、袋帯Ａの一部に太鼓ａが形成される（図７）。
次にまた、太鼓ａから第１クリップ１５と太鼓定規１０とを取り外すとともに、太鼓ａの下端部、具体的には袋帯Ａのたれ余り部ｂ１の折り込み部分に、仮ひも１８を通す（図６、図８および図９）。
その後、太鼓ａを背中心にあてがい、仮ひも１８を前帯の上で蝶結びして、太鼓ａの位置を固定する。次に、袋帯Ａを着用者の胴に巻き付け、帯揚げ１７を着用者の胴に結んで太鼓ａを位置決めし、次いで太鼓ａから一対の第２クリップ１１および仮ひも１８を外し、帯締めにより袋帯Ａを締める（図９）。
【００１９】
このように、袋帯Ａを二重太鼓に結ぶとき、太鼓ａの長さとたれｂの長さとを決定する寸法決定線１０ａが一端部に引かれた太鼓定規１０と、第１クリップ１５と、一対の第２クリップ１１とを使用し、畳の上で袋帯Ａの一部に太鼓ａをつくり、その後、太鼓ａを背中心にあてがい、袋帯Ａを着用者の胴に巻き付ける。すなわち、畳の上で行う太鼓結びの途中で、太鼓定規１０により太鼓ａの長さとたれｂの長さとを決定するとともに、第１,第２クリップ１１，１５を使用して、袋帯Ａの所定部分を適時挟持および挟持解除しながら、袋帯Ａの一部に太鼓ａを形成する。これにより、和服の着用者が一人でも簡単に、袋帯Ａを使用して着用者の身長に合った適正サイズの太鼓ａおよびたれｂを有した太鼓結びを伴う着付けを行うことができる。
また、第１クリップ１５は、帯山ａ１を形成する際、他方の挟持体１３より長尺な一方の挟持体１２の帯押し込み部１２ａを利用し、袋帯Ａの折り戻した部分Ａ１の一部を、帯枕１６を挟み込むように袋帯Ａ１のたれ側の端部の下へ押し込むことで、帯山ａ１を形成し、かつその直後、帯山ａ１を一対の挟持体１２，１３により挟持することができる。そのため、折り戻した部分Ａ１の一部の押し込みを手作業で行うときの煩わしさ、具体的には片手での折り戻した部分Ａ１の押し込み、この状態が崩れないように帯山ａ１を片手で握り返して、残った手でのクリップによる帯山ａ１の挟持が省ける。しかも、着用者の勘に頼る折り戻した部分Ａ１の押し込みではなく、帯押し込み部１２ａの長さ分の所定の押し込み位置への正確な押し込みを実現することができる。
【００２０】
次に、図１０〜図１７を参照して、この発明の実施例２に係る名古屋帯の太鼓（一重太鼓）結びを伴う着物の着付け方法を説明する。名古屋帯Ｂを太鼓結びにする際には、実施例１で用いた太鼓定規１０および第１,第２クリップ１５，１６を使用する。
まず、着用者が長襦袢と着物とを順に着用し、その後、半幅に折った胴廻り部２０と全幅のたれ部２１とが、二等辺三角形状の折り畳み部２２を介して直角に折り重ねられた名古屋帯Ｂを、着用者の胴に太鼓結びする。
【００２１】
以下、名古屋帯Ｂを用いた具体的な太鼓結びの方法を説明する。
あらかじめ、名古屋帯Ｂの折り畳み部２２の折り畳みを開き、次に、たれ部２１と胴廻り部２０とを一直線上に延ばした名古屋帯Ｂを、表を上向きにして畳に置く。
次いで、たれ部２１の元部の下に、帯揚げ１７の長さ方向の中間部分により包まれた帯枕１６を配置する（図１０）。このとき、帯枕１６の両端部のひも１６ａを、名古屋帯Ｂの幅方向の両端から外方へ延ばしておく。
【００２２】
この状態で、第１クリップ１５の帯押し込み部１２ａにより、帯枕１６を挟み込むように折り畳み部２２をたれ部２１の下へ押し込み、この押し込んだ部分を、たれ部２１の元部および帯枕１６とともに第１クリップ１５により挟持する。これにより、太鼓ａの帯山ａ１が形成される（図１１）。このとき、第１クリップ１５により挟持されているのは、たれ部２１の２層に折り畳まれた元部と、帯枕１６とである（図１２）。
次に、たれ部２１を、表と表とが重なるように胴廻り部２０の上に折り返す。これにより、たれ部２１の裏面が上に向く。
【００２３】
その後、この状態で、たれ部２１の折り返した部分２１ａを折り戻す。その際、太鼓定規１０をたれ部２１の横に置き、たれ部２１の元側の端を基準とし、この基準位置から、折り返したたれ先とは反対方向（胴廻り部とは反対方向）へ向かって太鼓定規１０の長さ分だけ離れた位置に、たれ部２１のたれ先を配置する（図１４）。
次にまた、たれ部２１の折り戻した部分２１ｂを、その折り戻し側の端２１ｃから、寸法決定線１０ａにより規定された太鼓定規１０のたれｂの長さ分だけ、たれ部２１のたれ側の端部が露出するように、表と表とを重ね合わせて折り返す(図１５)。これにより、たれ部２１に太鼓ａが形成される。このとき、第１クリップ１５により挟持されているのは、たれ部２１の４層に折り畳まれた部分と帯枕１６とである（図１６）。この４層に折り畳まれた部分とは、たれ部２１の折り戻した部分２１ｂ（２層）と、たれ部２１の先端部(１層)と、折り畳み部２２（１層）とである。
【００２４】
その後、第１クリップ１５により挟持された名古屋帯Ｂの部分の幅方向の両端部を、一対の第２クリップ１１により挟持する（図１７）。
次にまた、名古屋帯Ｂのうち、折り戻した部分２１ｂの折り戻し側の端２１ｃの部分に仮ひも１８を通し（図１６および図１７）、その後、太鼓ａから第１クリップ１５を取り外し（図１７）、この状態で太鼓ａを背中心にあてがい、仮ひも１８を前帯の上で蝶結びして太鼓ａの位置を固定する。その後、名古屋帯Ｂを着用者の胴に巻き付け、帯揚げ１７を着用者の胴に結んで太鼓ａを位置決めし、次いで太鼓ａから一対の第２クリップ１１および仮ひも１８を外し、帯締めにより名古屋帯Ｂを締める（図９）。
このような手順で名古屋帯Ｂにより太鼓ａを結ぶようにしたので、和服の着用者が一人で簡単に、適正サイズの太鼓ａおよびたれｂを有した名古屋帯Ｂでの太鼓結びを伴う着付けを行うことができる。
その他の構成、作用および効果は、実施例１から推測可能な範囲であるので、説明を省略する。
【００２５】
次に、図１８〜図２１を参照して、着物（長着）のたたみ方を説明する。
まず、着物３０を畳の上に載置し、これを脇線３１，３２に沿って折る（図１８）。その後、一方の手で共衿３３の両衿先３３ａを掴んでこれを若干持ち上げるとともに、他方の手で両方の褄先３４を掴んでこれを同じ程度の高さだけ持ち上げる（図１９）。
次いで、この掴んだ両手をそのまま下前の前身頃側へ平行に移動し、両共衿３３の重ね合わされた衿先３３ａの先端が手前の脇線３１に一致するように、着物３０を折る（図２０）。
次にまた、着物３０を奥前の脇線３２が手前の脇線３１に重なるように二つ折りする（図２１）。これにより、着物３０を簡単に折り畳むことができる。しかも、両衿先３３ａを重ね合わせた脇線３１，３２から外方へ突出せず、収納時に両衿先３３ａに折り皺が発生しない。
これ以降の着物３０のたたみ方は一般的な方法に則る。すなわち、まず上側の袖３５を手前の後身頃の上に重ね合わせ、次に裾を半分に折り返し、次にまた下側の袖３５を奥前の後身頃の下に折り返す。こうしてたたんだ着物３０は、たとう紙などに入れて箪笥などに収納される。
その他の構成、作用および効果は、実施例１から推測可能な範囲であるので説明を省略する。
【産業上の利用可能性】
【００２６】
この発明の着物の着付け方法は、袋帯または名古屋帯により太鼓を結んで、訪問着などの長着を着る際に有用である。
【符号の説明】
【００２７】
１０  太鼓定規、
１０ａ  寸法決定線、
１１  第２クリップ、
１５  第１クリップ、
１６  帯枕、
２０  胴廻り部、
２１  たれ部、
２１ａ  折り返した部分、
２１ｂ  折り戻した部分、
２１ｃ  折り戻し側の端、
２２  折り畳み部、
３０  着物、
Ａ  袋帯、
Ａ１  折り返した部分、
Ａ２  折り戻した部分、
Ｂ  名古屋帯、
ａ  太鼓、
ｂ  たれ、
ｂ１  たれ余り部。
【要約】
【課題】和服の着用者が一人で簡単に、袋帯または名古屋帯での太鼓結びによる着物の着付けを行える着付け方法を提供する。
【解決手段】袋帯または名古屋帯を畳に載置し、この畳の上で、寸法決定線が引かれた太鼓定規を用いて、太鼓の長さと太鼓の下から露出するたれの長さとを決めるとともに、一対の第２クリップと、一方の挟持体の先部が長尺な帯押し込み部となった第１クリップとを利用して太鼓を結ぶようにしたので、和服の着用者が一人で簡単に、袋帯または名古屋帯での太鼓結びによる着物の着付けを行うことができる。
【選択図】図６【図１】
0004791607.tif 000002
【図２】
0004791607.tif 000003
【図３】
0004791607.tif 000004
【図４】
0004791607.tif 000005
【図５】
0004791607.tif 000006
【図６】
0004791607.tif 000007
【図７】
0004791607.tif 000008
【図８】
0004791607.tif 000009
【図９】
0004791607.tif 000010
【図１０】
0004791607.tif 000011
【図１１】
0004791607.tif 000012
【図１２】
0004791607.tif 000013
【図１３】
0004791607.tif 000014
【図１４】
0004791607.tif 000015
【図１５】
0004791607.tif 000016
【図１６】
0004791607.tif 000017
【図１７】
0004791607.tif 000018
【図１８】
0004791607.tif 000019
【図１９】
0004791607.tif 000020
【図２０】
0004791607.tif 000021
【図２１】
0004791607.tif 000022